(57)【要約】本発明は、瓶１の開口部の周囲部２に着脱自在に装着される瓶の蓋１００において、上記開口部の周囲部２の外周部を取り囲むように形成された側壁部１０と；上記側壁部１０の上側を閉鎖するように形成された天板部２０と； 上記側壁部１０の中央部から下端まで延長形成された複数の開封跡表示部３０と；上記複数の開封跡表示部３０の上端を一直線に連結する折曲部４０と；上記複数の開封跡表示部３０と折曲部４０によって構成される開封片部５０と；上記側壁部１０の内面に形成された自由離脱防止用凹溝部７０と；を含む瓶の蓋１００及びこれを備えた瓶１を提供する．ことによって、片手によるワンタッチの簡単な動作だけで蓋の開閉が可能なのは勿論のこと、広告などのための領域を充分に確保することができ、蓋の高さを低くすることができて原価の節減を図ることができ、製造工程を単純化して単位時間当りの生産量増大を可能とする。
2007503364.tif 000002
【特許請求の範囲】
【請求項１】
瓶(１)の開口部の周囲部(２)に着脱自在に装着される瓶の蓋(１００)において、
上記開口部の周囲部(２)の外周部を取り囲むように形成された側壁部(１０)と；
上記側壁部(１０)の上側を閉鎖するように形成された天板部(２０)と；
上記側壁部(１０)の中央部から下端まで延長形成された複数の開封跡表示部(３０)と；
上記複数の開封跡表示部(３０)の上端を一直線に連結する折曲部(４０)と；
上記複数の開封跡表示部(３０)と折曲部(４０)とによって構成される開封片部(５０)と；
上記側壁部(１０)の内面に形成された自由離脱防止用凹溝部(７０)と；を含むことを特徴とする瓶の蓋。
【請求項２】
上記開封跡表示部(３０)は、所定の間隔で離隔して２つが形成されたことを特徴とする請求項１に記載の瓶の蓋。
【請求項３】
上記２つの開封跡表示部(３０)の間の間隔は、上端に比べて下端の方が広く形成されたことを特徴とする請求項２に記載の瓶の蓋。
【請求項４】
上記開封跡表示部(３０)は、上記側壁部(１０)を切開して形成された開封跡表示溝(３１)と；上記蓋(１００)の開封時に破断されるように、上記開封跡表示溝(３１)の間を連結する複数の連結ブリッジ(３２)と；を備えることを特徴とする請求項３に記載の瓶の蓋。
【請求項５】
上記開封片部(５０)の外面には、その外側に突出形成された開封用摘み部(５１)がさらに備えられたことを特徴とする請求項１〜４の何れか１項に記載の瓶の蓋。
【請求項６】
上記側壁部(１０)の外面であり上記開封片部(５０)の上側には、上記連結ブリッジ(３２)の破断による上記開封片部(５０)の上方への移動時に上記開封片部(５０)の開封用摘み部(５１)の上面と当接するように突出形成された支持突部(６０)がさらに備えられたことを特徴とする請求項５に記載の瓶の蓋。
【請求項７】
上記開封用摘み部(５１)の外面には摩擦発生手段がさらに備えられたことを特徴とする請求項５に記載の瓶の蓋。
【請求項８】
上記摩擦発生手段はギザギザ（knurling）であることを特徴とする請求項７に記載の瓶の蓋。
【請求項９】
上記ギザギザは、横方向に形成された凹凸部であることを特徴とする請求項８に記載の瓶の蓋。
【請求項１０】
上記側壁部(１０)は、弾性材質によってその下端の開口部の面積が変形可能に形成されたことを特徴とする請求項１〜４の何れか１項に記載の瓶の蓋。
【請求項１１】
上記側壁部(１０)は、上部の厚さに比べて下部の厚さが薄く形成されたことを特徴とする請求項１０に記載の瓶の蓋。
【請求項１２】
上記天板部(２０)の上面中央部には、その上側に突出形成された閉鎖用摘み部(２１)がさらに備えられたことを特徴とする請求項１０に記載の瓶の蓋。
【請求項１３】
上記閉鎖用摘み部(２１)の内面には、弾性支持力の増大のための凹溝部(２２)がさらに備えられたことを特徴とする請求項１２に記載の瓶の蓋。
【請求項１４】
上記自由離脱防止用凹溝部(７０)は、上記側壁部(１０)の内周面に沿って環状に形成されたことを特徴とする請求項１〜４の何れか１項に記載の瓶の蓋。
【請求項１５】
上記自由離脱防止用凹溝部(７０)は、上記側壁部(１０)の内周面の上下に複数形成されたことを特徴とする請求項１４に記載の瓶の蓋。
【請求項１６】
上記開封片部(５０)の対向側に形成され、上記側壁部(１０)の下端領域を所定の大きさで切り欠いて形成される切欠部(６１)をさらに含むことを特徴とする請求項１〜４の何れか１項に記載の瓶の蓋。
【請求項１７】
上記開封片部(５０)は、上記側壁部(１０)上の相異なる位置に複数形成されたことを特徴とする請求項１〜４の何れか１項に記載の瓶の蓋。
【請求項１８】
瓶１の開口部の周囲部(２)に着脱自在に装着される瓶の蓋(１００)において、
上記開口部の周囲部(２)の外周部を取り囲むように形成され、内面の上端の幅に比べて下端の幅が広く形成され内面の断面が台形をなしており、弾性材質によってその下端の開口部の面積が変形可能に形成された側壁部(１０)と；
上面中央部にその上側に突出形成された閉鎖用摘み部(２１)が形成され、上記側壁部(１０)の上側を閉鎖するように形成された天板部(２０)と；
上記側壁部(１０)を切開することによって延長形成された開封跡表示溝(３１)と、上記蓋(１００)の開封時に破断されるように上記開封跡表示溝(３１)の間を連結する複数の連結ブリッジ(３２)とを備えるとともに、上記側壁部(１０)の中央部から下端まで延長形成され、その上端の間隔に比べて下端の間隔が広く形成された２つの開封跡表示部(３０)と；
上記２つの開封跡表示部(３０)の上端を一直線に連結する折曲部(４０)と；
上記２つの開封跡表示部(３０)と上記折曲部(４０)とによって構成され、外面にその外側に突出形成された開封用摘み部(５１)が備えられた開封片部(５０)と；
上記連結ブリッジ(３２)の破断による上記開封片部(５０)の上方への移動時に、上記開封片部(５０)の開封用摘み部(５１)の上面と当接するように、上記側壁部(１０)の外面であり上記開封片部(５０)の上側に突出形成された支持突部(６０)と；
上記開封用摘み部(５１)の外面に形成されたギザギザ部と；
上記側壁部(１０)の内周面に沿って環状に形成された複数の自由離脱防止用凹溝部(７０)と；
上記天板部(２０)の上面中央部にその上側に突出形成された閉鎖用摘み部(２１)と；
上記閉鎖用摘み部(２１)の内面に形成された弾性支持力の増大のための凹溝部(２２)；を含むことを特徴とする瓶の蓋１００。
【請求項１９】
請求項１〜４の何れか１項に記載の瓶の蓋(１００)が開口部の周囲部(２)に着脱自在に装着される瓶１において、
上記開口部の周囲部(２)はその外面の上端の幅に比べて下端の幅が広く形成されその断面が台形をなし、上記開口部の周囲部(２)の外周面には、上記蓋(１００)の側壁部(１０)の内周面に形成された自由離脱防止用凹溝部７０に挿入されるように自由離脱防止用突部(８０)が形成されたことを特徴とする瓶。
【発明の詳細な説明】
【技術分野】
【０００１】
本発明は瓶の蓋に関し、より詳しくは、開封跡表示手段を備えていながらも、片手によるワンタッチの簡単な動作だけで蓋の開封が可能な構造を有する、瓶の蓋及びこれを備えた瓶に関する。
【背景技術】
【０００２】
瓶に飲料水などが収容され販売される商品は、その未開封保証のための開封跡表示手段を瓶の蓋に備えるのが一般的である。開封跡表示手段とは、飲料水や薬などのような中身の収容された瓶が使用者に提供されるまで未開封状態であったことを保証するために設けられる手段をいう。従って、当該開封跡表示手段の破断などによる跡を残さずには瓶の開封が不可能な構成を取ることが要求される。
【０００３】
かかる開封跡表示手段に関する公知の技術としては、米国特許第５，０７４，４２５号、第３，６７３，７６１号（Leitz/CIBA-Geigy AG)、及びドイツ特許第ＯＳ−１４ ８２ ６０３号（Teillac/ALCA S.A.）などがある。
【０００４】
図１５及び図１６は、上記のような開封跡表示手段を有する瓶の蓋に関する従来の一般的な構造を示している。
【０００５】
これら図に示されたように、従来の瓶の蓋２００は、瓶の開口部の外周部を取り囲むように形成され、内周面に螺旋形の回転構造（図示せず）を備えた側壁部２１０と、その側壁部２１０の上側を閉鎖するように形成された天板部２２０と、開封跡表示手段２３０とを備える。
【０００６】
ここで、開封跡表示手段２３０は、瓶の開口部の外周部を取り囲むように上記側壁部２１０の下端に沿って形成されたバンド２３１、及び上記バンド２３１と側壁部２１０とを連結する複数の連結ブリッジ２３２によって構成されている。回転による蓋２００の最初開封時の破断によって側壁部２１０とバンド２３１とが分離される。
【０００７】
また、蓋２００の最初開封による連結ブリッジ２３２の破断後、バンド２３１が瓶から分離され得るように、バンド２３１の所定部分を破断する破断部２４０、及びバンド２３１と蓋２００の側壁部２１０の下端とを連結する連結部２４０が備えられる場合もある。
【０００８】
開封跡表示手段２３０は、基本的に、蓋２００の最初開封時にのみ必要なものである。従って、図１６に示されたように、蓋２００の最初開封時にバンド２３１が蓋２００に付いたまま瓶から分離されるようにし、以後、ねじり動作などによって連結部２５０を破断して蓋２００からバンド２３１を完全除去するようにしている。これによって、最初の開封後に蓋２００を瓶に締結する動作や、再開封のために蓋２００を開ける動作などにおいて、開封跡表示手段２３０が邪魔にならない。
【０００９】
開封跡表示手段を備えた瓶の蓋の構造については、従来の技術が多数公知となっているが、これらは何れも上記のような回転方式によって蓋の最初開封と連結ブリッジの破断とが一つの動作でなされる構成を採用している。従って、蓋２００の回転動作を円滑にするために、蓋２００の側壁部２１０の外周面には指との摩擦力増大のための凹凸部が形成されるのが一般的である。
【００１０】
ところが、上記のような従来の瓶の蓋２００は、前述した通り、基本的に回転による開封構造を採用しているが、これは次のような問題点を抱えていた。
【００１１】
第一、瓶の蓋２００の最初開封の後に、バンド２３１のような開封跡表示手段２３０の残余物が瓶の開口部又は蓋２００の所定位置に残ることになるが、これは蓋２００の閉鎖又は再開封動作に役立たず、むしろ邪魔になるので、これを取り除くための別途の動作が必要となる。
【００１２】
第二、瓶の蓋２００の天板部２２０及び側壁部２１０は、その瓶に収容された中身に対する商標の表示や広告などの機能のために所定の領域が確保されるのが望ましいが、従来の構造では、蓋２００の側壁部に指との摩擦力増大のための凹凸部などの構造が形成されなければならなかったため、上記のような領域の確保に制限があった。
【００１３】
第三、瓶の蓋２００の内周面と瓶の開口部の外周面に回転方式の開閉動作のためのネジ構造などを設置する必要があるので、蓋２００の高さが所定の長さ以上でなければならないという限界があった。
【００１４】
第四、瓶に中身が収容される商品の製造工程において、回転によって蓋２００を瓶の開口部に固定させる工程が必要なため、工程の単純化が困難であった。
【特許文献１】米国特許第５，０７４，４２５号
【特許文献２】米国特許第３，６７３，７６１号
【特許文献３】ドイツ特許第ＯＳ−１４ ８２ ６０３号
【発明の開示】
【発明が解決しようとする課題】
【００１５】
上記のような問題点を解決するためになされた本発明の第一の目的は、片手によるワンタッチの簡単な動作だけで蓋の開閉が可能な構造を有する瓶の蓋及びこれを備えた瓶を提供することにある。
【００１６】
本発明の第二の目的は、広告などのための領域の充分な確保が可能な構造を有する瓶の蓋及びこれを備えた瓶を提供することにある。
【００１７】
本発明の第三の目的は、瓶の蓋の高さを低くして原価を節減し、従来の技術における回転装着工程を省くことによって製造工程を単純化して、単位時間当りの生産量増大を可能とする構造を有する瓶の蓋及びこれを備えた瓶を提供することにある。
【課題を解決するための手段】
【００１８】
本発明は、上述の目的を達成するために、瓶の開口部の周囲部に着脱自在に装着される瓶の蓋において、上記開口部の周囲部の外周部を取り囲むように形成された側壁部と；上記側壁部の上側を閉鎖するように形成された天板部と；上記側壁部の中央部から下端まで延長形成された複数の開封跡表示部と；上記複数の開封跡表示部の上端を一直線に連結する折曲部と；上記複数の開封跡表示部と折曲部とによって構成される開封片部と；上記側壁部の内面に形成された自由離脱防止用凹溝部と；を含む瓶の蓋を提示する。
【００１９】
ここで、上記開封跡表示部は、所定の間隔で離隔して２つを形成するのが望ましい。
【００２０】
また、上記２つの開封跡表示部の間の間隔は、上端に比べて下端の方を広く形成するのが望ましい。
【００２１】
また、上記開封跡表示部は、上記側壁部を切開して形成された開封跡表示溝と；上記蓋の開封時に破断されるように、上記開封跡表示溝の間を連結する複数の連結ブリッジ；を備えるのが望ましい。
【００２２】
また、上記開封片部の外面には、その外側に突出形成された開封用摘み部をさらに備えるのが望ましい。
【００２３】
また、上記側壁部の外面であり上記開封片部の上側には、上記連結ブリッジの破断による上記開封片部の上方への移動時にその開封片部の開封用摘み部の上面と当接するように突出形成された支持突部をさらに備えるのが望ましい。
【００２４】
また、上記開封用摘み部及び支持突部の外面には摩擦発生手段をさらに備えるのが望ましい。
【００２５】
また、上記摩擦発生手段はギザギザ（knurling）で構成されることができ、より詳しくは、横方向に形成された凹凸部とすることができる。
【００２６】
また、上記側壁部は、弾性材質によってその下端の開口部の面積が変形可能に形成されるのが望ましい。
【００２７】
また、上記側壁部は、上部の厚さに比べて下部の厚さを薄く形成するのが望ましい。
【００２８】
また、上記天板部の上面中央部には、その上側に突出形成された閉鎖用摘み部をさらに備えるのが望ましい。
【００２９】
また、上記閉鎖用摘み部の内面には、弾性支持力の増大のための凹溝部をさらに備えるのが望ましい。
【００３０】
また、上記自由離脱防止用凹溝部は、上記側壁部の内周面に沿って環状に形成するのが望ましい。
【００３１】
また、上記自由離脱防止用凹溝部は、上記側壁部の内周面の上下に複数形成するのが望ましい。
【００３２】
また、上記開封片部の対向側に形成され、上記側壁部の下端領域を所定の大きさで切り欠いて形成される切欠部をさらに含むことができる。
また、上記開封片部は、上記側壁部上の相異なる位置に複数形成することも可能である。
【００３３】
一方、本発明は、上記の目的を達成するためのもう一つの手段として、上記開口部の周囲部の外周部を取り囲むように形成され、内面の上端の幅に比べて下端の幅が広く形成され内面の断面が台形をなしており、弾性材質によってその下端の開口部の面積が変形可能に形成された側壁部と；上面中央部にその上側に突出形成された閉鎖用摘み部が形成され、上記側壁部の上側を閉鎖するように形成された天板部と；上記側壁部の中央部から下端までその側壁部を切開することによって延長形成された２本の開封跡表示溝と、上記蓋の開封時に破断されるように上記開封跡表示溝の間を連結する複数の連結ブリッジとを備えるとともに、上端の間隔に比べて下端の間隔が広く形成された２個の開封跡表示部と；上記複数の開封跡表示部の上端を一直線に連結する折曲部と；上記複数の開封跡表示部と折曲部とによって構成され、外面にその外側に突出形成された開封用摘み部が備えられた開封片部と；上記連結ブリッジの破断による上記開封片部の上方への移動時に、その開封片部の開封用摘み部の上面と当接するように、上記側壁部の外面であり上記開封片部の上側に突出形成された支持突部と；上記開封用摘み部及び支持突部の外面に横方向に形成された凹凸部と；上記側壁部の内周面に沿って環状に形成された複数の自由離脱防止用凹溝部と；上記天板部の上面中央部にその上側に突出形成された閉鎖用摘み部と；上記閉鎖用摘み部の内面に形成された弾性支持力の増大のための凹溝部；を含む瓶の蓋を提示する。
【００３４】
また、本発明は上記の目的を達成するためのもう一つの手段、即ち、上記瓶の蓋が開口部の周囲部に着脱自在に装着される瓶において、上記開口部の周囲部はその外面の上端の幅に比べて下端の幅が広く形成されその断面が台形をなし、上記開口部の周囲部の外周面には、上記瓶の蓋の側壁部の内周面に形成された上記自由離脱防止用凹溝部に挿入されるように自由離脱防止用突部が形成されたことを特徴とする瓶を提示する。
【発明の効果】
【００３５】
本発明は、片手によるワンタッチの簡単な動作だけで瓶の蓋の開閉が可能になるだけでなく、広告などのための領域を充分に確保することができ、また、蓋の高さを低くして原価を節減することができ、製造工程を単純化して単位時間当りの生産量を増大することができる構造の瓶の蓋及びこれを備えた瓶を提供する。
【発明を実施するための最良の形態】
【００３６】
以下、添付図面を参照して本発明の望ましい実施例についてより詳しく説明する。
【００３７】
図１〜図１２は本発明による瓶の蓋の実施例を示したものであり、図１は第１実施例の斜視図、図２は第１実施例の動作図、図３は第２実施例の斜視図、図４は第２実施例の正面図、図５は第２実施例の部分切欠斜視図、図６は第２実施例の動作図、図７は第３実施例の断面図、図８は本発明による瓶の開口部の斜視図、図９は第３実施例の蓋が瓶に装着された状態の断面図、図１０は第４実施例の蓋が瓶に装着された状態の断面図、図１１は第４実施例の瓶の蓋の力伝達過程を示した横断面図、そして、図１２は瓶の蓋の底面図である。
【００３８】
図１、図２及び図７に示されたように、本発明による瓶の蓋１００は、基本的に瓶１の開口部の周囲部２に着脱自在に装着される構造であり、上記開口部の周囲部２の外周部を取り囲むように形成された側壁部１０と；上記側壁部１０の上側を閉鎖するように形成された天板部２０と；上記側壁部１０の中央部から下端まで延長形成された複数の開封跡表示部３０と；上記複数の開封跡表示部３０の上端を一直線に連結する折曲部４０と；上記複数の開封跡表示部３０と折曲部４０とによって構成される開封片部５０と；上記側壁部１０の内面に形成された自由離脱防止用凹溝部７０と；を含んで構成される。
【００３９】
また、かかる構造の蓋１００が装着される瓶１は、図８に示されたように、開口部の周囲部２がその外面の上端の幅に比べて下端の幅が広く形成され断面が台形をなしており、上記開口部の周囲部２の外周面には上記蓋１００の側壁部１０の内周面に形成された上記自由離脱防止用凹溝部７０に挿入されるように自由離脱防止用突部８０が形成された構造をしている。
【００４０】
即ち、蓋１００の側壁部１０の中央部から下端まで複数の開封跡表示部３０が延長形成され、その開封跡表示部３０の上端に折曲部４０が形成され、これらによって開封片部５０が形成される。従って、使用者は、瓶１における蓋１００より下側部分を片手で握った状態で親指などによって折曲部４０を軸にして開封片部５０の下端を上方に移動させ、開封跡表示部３０を破断した後（図６ａ、図６ｂ)、蓋１００を瓶１の開口部から離脱させることができ（図６ｃ、図６ｄ）、その結果、開封跡表示手段を備えていながらも、片手によるワンタッチの簡単な動作だけで瓶の蓋を開封し得る構造となる。
【００４１】
また、蓋１００の側壁部１０の内面には自由離脱防止用凹溝部７０が形成され、瓶１の開口部の周囲部２の外周面にはその自由離脱防止用凹溝部７０に挿入されるように自由離脱防止用突部８０が形成されており、また、瓶１の開口部の周囲部２はその外面の上端の幅に比べ下端の幅が広く形成され、その断面が台形をなす。
【００４２】
従って、蓋１００を鉛直上方から下方へと押圧して瓶１に締結する動作においては、瓶１の上端開口部に比べて蓋１００の下端開口部が広く形成されているため、あまり大きな力を要しない。
【００４３】
しかし、一旦閉鎖された状態で蓋１００を開けるためには、蓋１００の側壁部１０を手で圧迫しながらその蓋１００を瓶１から抜き取る動作を取らざるを得ない。このような動作は、瓶の蓋１００の内面の自由離脱防止用凹溝部７０と、瓶１の外面の自由離脱防止用突部８０との圧着を必然的に伴う。従って、上記のような開封跡表示部３０の破断無しには蓋１００を開けることが不可能であり、その結果、瓶１の未開封に関する信頼性を与えることができるのである。
【００４４】
また、瓶１に対する蓋１００の自由離脱防止効果を一層確実にするためには、蓋１００の自由離脱防止用凹溝部７０が蓋１００の側壁部１０の内周面に沿って環状に形成されるのが望ましく、蓋１００の側壁部１０の内周面の上下に複数形成されれば一層望ましい。
【００４５】
本発明による構造は、上述した通り、基本的に回転開封方式を採用しておらず、蓋１００の側壁部１０に別途の摩擦構造が不要なため、広告などのための領域を充分確保することができ、また、蓋１００の側壁部１０の内周面に別途のネジ構造などが不要なため、全体的な蓋１００の高さを低くすることができ、原価の節減を図ることができ、さらには、蓋１００を瓶１に固定させる工程においても蓋１００を回転させることなく下方への単純なプレス作業のみに製造工程を単純化して、単位時間当りの生産量増大を図ることができる。
【００４６】
また、本発明による瓶の蓋１００は、開封片部５０を利用して片手による上方へのワンタッチの簡単な動作だけで蓋を開けることができる構造を採用しているが、全体的な蓋１００の高さを低くする場合、かかる開封動作を一層容易に行えるといった付随的な効果も得ることができる。
【００４７】
ここで、開封跡表示部３０は、蓋１００の側壁部１０に沿って形成されて開封片部５０を構成するものであり、その個数は２つ以上であればよいが、製造原価などの側面を考慮したとき、所定の間隔で離隔して２つを形成するのが望ましい。
【００４８】
また、本発明は、開封跡表示部３０の破断により形成された開封片部５０を上方へと押し上げる構造であるため、指と上記開封片部５０との接触面積を確保するために、開封片部５０の下端は広く形成されるのが有利であり、開封片部５０の上方への移動時の軸となる折曲部４０は折曲動作の円滑化のために狭いのが有利である。従って、上記折曲部４０を形成する開封片部５０の上端は狭く形成されるのが有利である。
【００４９】
従って、このような開封片部５０の構造をなすために、上記開封片部５０を構成する２本の開封跡表示部３０間の間隔は、上端に比べて下端を広く形成するのが望ましい。
【００５０】
開封跡表示部３０は、蓋の未開封保証のための構造として、図１及び図２では、上記側壁部１０を切開することによって形成された開封跡表示溝３１と；上記蓋１００の開封時に破断されるように、上記開封跡表示溝３１の間を連結する複数の連結ブリッジ３２；を備えた最も一般的な構造を例示しているが、２本の開封跡表示部３０の破断によって開封片部５０を形成できる構造ならば何でもよい。
【００５１】
図３乃至図６は、本発明の第２実施例を示したものである。
【００５２】
本実施例では、これら図に示されたように、開封片部５０の外面に、その外側に突出形成された開封用摘み部５１がさらに備えられた構造を採用している。
【００５３】
これは、本発明による蓋１００の最初開封時に使用者が開封片部５０の下端を一本の指で押して上記開封片部５０を上方に移動させる動作において、指と開封片部５０との接触面積を拡大することによって開封動作の便宜性を図るためのものである。
【００５４】
また、開封跡表示部３０の破断後、折曲部４０を軸にして開封片部５０を上方に移動し続ければ、蓋１００が完全開封されるが、このような開封片部５０の上向きの力が一層効率的に蓋１００全体に伝達されるようにするためには、蓋１００の側壁部１０の外面であり開封片部５０の上側に、開封跡表示部３０の連結ブリッジ３２の破断による上記開封片部５０の上方への移動時に上記開封片部５０の開封用摘み部５１の上面と当接するように突出形成された支持突部６０をさらに備えるのが望ましい。
【００５５】
また、開封動作時の力伝達の効率性を高めるためには、指と開封用摘み部５１との間、及び開封用摘み部５１と支持突部６０との間に滑り止めのための構造が必要なため、開封用摘み部５１及び支持突部６０の外面には摩擦発生手段をさらに備えるのが望ましい。
【００５６】
ここで、摩擦発生手段は、指で開封用摘み部５１を押す時、指に摩擦を発生させるためのギザギザを形成することによって具現することができ、例えば、その表面を荒くする方法や、所定の突部を形成する方法など、いかなる手段を使用しても構わない。このようなギザギザの一例として、本実施例では横方向の凹凸部が形成された場合を例示している。
【００５７】
図６は、本実施例の動作過程を示している。
【００５８】
同図を参照して、まず、本発明による瓶の蓋１００の開封構造について説明する。
【００５９】
使用者が開封片部５０の開封用摘み部５１に親指の先を接触し、これを上方に移動させれば（図６ａ）、開封跡表示部３０の破断が発生した後（図６ｂ）、開封用摘み部５１と支持突部６０とが当接しながら自然に親指の底部が開封用摘み部５１の破断部に接触される（図６ｃ）。かかる構造によって、親指による上向きの力が蓋１００全体に回転モーメントを発生させ（図６ｄ）、一層効率的な力の伝達構造が形成されるのである。
【００６０】
次に、本発明による蓋１００の閉鎖構造について説明する。
【００６１】
図７乃至図１２は、これを説明するための図である。
【００６２】
本発明による瓶の蓋１００は、回転による開閉構造を採用せず、一本の指による上向きの力だけで蓋１００の開封が可能な構造を採用しているので、閉鎖動作においても蓋１００を鉛直上方から下側に押圧して瓶１の開口部に締結する方式となる。
【００６３】
蓋１００の安定した装着のために、瓶の開口部の周囲部２の外周面には、蓋１００の側壁部１０の内周面に形成された上記自由離脱防止用凹溝部７０に挿入されるように自由離脱防止用突部８０が形成されるとともに、蓋１００の側壁部１０は弾性材質によってその下端の開口部の面積が変形可能に形成された構造を採用しており、これに対応して瓶１の開口部の周囲部２はその外面の上端の幅に比べて下端の幅が広く形成され、その断面が台形をなしている。
【００６４】
従って、蓋１００を押して締結すれば、弾性材質で形成された蓋１００の側壁部１０の内周面が瓶１の開口部の周囲部２の外周面を圧着することになって、自由離脱防止用突部８０と自由離脱防止用凹溝部７０との結合が強固になるため、蓋１００の容易な離脱を防止するとともに安定した装着を図ることができる。
【００６５】
蓋１００の側壁部１０は、図８に示されたように、断面が長方形又は台形となるように構成することができるが、台形の断面を有する瓶１に装着される場合、その側壁部１０の下端が弾性膨脹するので、何れの場合においても瓶１に装着された状態では蓋１００の形状も台形となる。
【００６６】
従って、瓶１に装着された状態における蓋１００の形状を長方形とするためには、図９に示されたように、蓋１００の側壁部１０の肉厚を上部に比べて下部に行くにつれて薄くなるように形成するのが望ましい。
【００６７】
この場合、蓋１００の側壁部１０の下部に位置する開封跡表示部３０の肉厚が薄くなる一方、破断時に支持部の役割をする開封跡表示部３０の上側の側壁部は相対的に厚くなるため、開封跡表示部３０の破断が一層容易になるという付随的な効果が得られる。
【００６８】
また、かかる構造において、蓋１００の天板部２０に加わる下向きの力が蓋１００の側壁部１０に一層効果的に伝達されるようにするためには、上記天板部２０の上面中央部にその上側に突出形成された閉鎖用摘み部２１をさらに備えるのが望ましい。
【００６９】
また、閉鎖用摘み部２１の内面には弾性支持力の増大のための凹溝部２２をさらに備えるのが望ましい。
【００７０】
図１１に示されたように、かかる構造は、蓋１００の閉鎖動作を開始するに当たって、側壁部１０の下端が一層容易に弾性開放されるようにする一方（実線矢印）、蓋１００の閉鎖動作が終了した後には閉鎖用摘み部２１の上方への膨出現象によって蓋１００の側壁部１００の内周面が自然に瓶１の外周面に弾性圧着されるようにする（破線矢印）。
【００７１】
一方、図１３及び図１４は、本発明の他の実施例を示したものであり、図６ａ及び図６ｄとそれぞれ類似している。
【００７２】
本実施例では、側壁部１０に切欠部６１が形成されている。切欠部６１は、望ましくは、側壁部１０上の開封片部５０の対向側に形成され、側壁部１０の下端領域を所定の大きさ及び形状に切り欠いて形成される。このような切欠部６１の形成によって、図１３のように、指で開封用摘み部５１を押して蓋１００を開けるとき、蓋１００が図１４のように切欠部６１の上部エッジを中心にして回動することになる。従って、切欠部６１を形成していない場合に比べて、回動軸が側壁部１０の上側に位置するので、蓋１００の回動がより容易となり、これによって蓋１００の開封作業が一層容易となる。
【００７３】
一方、本実施例では開封片部５０が一個しか形成されていない場合を例示したが、本発明の他の変形例として、上記開封片部５０は上記側壁部１０上の相異なる位置に複数形成することができる。この場合、開封片部５０の配置は側壁部１０上の対向側に形成することもでき、放射状に３個又はその以上を形成することもできる。
【００７４】
以上、本発明を望ましい実施例に基づいて説明したが、本発明はこれに限定されるものではなく、請求範囲に記載の要旨を逸脱しない範囲内での多様な変形が可能であることは勿論である。
【図面の簡単な説明】
【００７５】
【図１】本発明による瓶の蓋の第１実施例の斜視図
【図２Ａ】本発明による瓶の蓋の第１実施例の動作図
【図２Ｂ】本発明による瓶の蓋の第１実施例の動作図
【図３】本発明による瓶の蓋の第２実施例の斜視図
【図４】本発明による瓶の蓋の第２実施例の正面図
【図５】本発明による瓶の蓋の第２実施例の部分切欠斜視図
【図６Ａ】本発明による瓶の蓋の第２実施例の動作図
【図６Ｂ】本発明による瓶の蓋の第２実施例の動作図
【図６Ｃ】本発明による瓶の蓋の第２実施例の動作図
【図６Ｄ】本発明による瓶の蓋の第２実施例の動作図
【図７】本発明による瓶の蓋の第３実施例の断面図
【図８】本発明による瓶の開口部の斜視図
【図９】本発明による第３実施例の瓶の蓋が瓶に装着された状態の断面図
【図１０】本発明による第４実施例の瓶の蓋が瓶に装着された状態の断面図
【図１１】本発明による第４実施例の瓶の蓋の力伝達過程を示した断面図
【図１２】本発明による瓶の蓋の底面図
【図１３】本発明の他の実施例を示した図
【図１４】本発明の他の実施例を示した図
【図１５】従来の瓶の蓋の構造を示した図
【図１６】従来の瓶の蓋の構造を示した図
【図１】
2007503364.tif 000003
【図２Ａ】
2007503364.tif 000004
【図２Ｂ】
2007503364.tif 000005
【図３】
2007503364.tif 000006
【図４】
2007503364.tif 000007
【図５】
2007503364.tif 000008
【図６Ａ】
2007503364.tif 000009
【図６Ｂ】
2007503364.tif 000010
【図６Ｃ】
2007503364.tif 000011
【図６Ｄ】
2007503364.tif 000012
【図７】
2007503364.tif 000013
【図８】
2007503364.tif 000014
【図９】
2007503364.tif 000015
【図１０】
2007503364.tif 000016
【図１１】
2007503364.tif 000017
【図１２】
2007503364.tif 000018
【図１３】
2007503364.tif 000019
【図１４】
2007503364.tif 000020
【図１５】
2007503364.tif 000021
【図１６】
2007503364.tif 000022
【国際調査報告】
2007503364.tif 000023
2007503364.tif 000024